(57)【要約】      （修正有）【課題】迅速に挟持部の開きを調整するプライヤの構造を提供する。【解決手段】迅速に挟持部の開きを調整するプライヤの構造であり、本体は第一挟持部１０、第二挟持部２０を含み、第一挟持部１０は第一挟持体３０に設け、第二挟持部２０は第二挟持体４０に可動するよう設置する。第一挟持体３０、第二挟持体４０の間に調整セットを設け、該調整セットは調整棒６１及び可動棒６２を含み、調整棒６１を第二挟持体４０に設け、可動棒６２の両端はそれぞれ第一、第二挟持体に設ける。また、調整棒６１と可動棒６２はそれぞれ対応噛合する歯列を設ける。第一弾性部品は調整棒６１と第二挟持体４０の間に設け、第二弾性部品６４は可動棒６２と第二挟持体４０の間に設けることで、調整棒６１と可動棒６２を元の位置に戻る役割を持つ。【選択図】図１
0003145228.tif 000002
【実用新案登録請求の範囲】
【請求項１】
第一、第二挟持部、第一、第二挟持体、第一、第二弾性部品を含み、
第一挟持部は第一挟持体の一端に設け、該第二挟持部は第二挟持体の一端にて可動できるように設け、該第一、第二挟持体の間に調整セットを設け、第一、第二挟持体で調整セットを作動し、
該調整セットは調整棒及び可動棒を含み、該調整棒と可動棒はそれぞれ歯列を設け、該歯列は対応して噛合し、該調整棒と可動棒は第一、第二挟持体を押すことで連動し、歯列の噛合移動により、第一、第二挟持部の開きの大きさを調整し、
第一弾性部品及び第二弾性部品はそれぞれ調整棒と可動棒を設置し、該第一、第二弾性部品により調整棒と可動棒を元の位置に戻すことを特徴とする迅速に挟持部の開きを調整するプライヤの構造。
【請求項２】
前記調整棒と可動棒の歯列は片方向歯であるため、可動棒は片方向で歯列を伝って移動することを特徴とする請求項1記載の迅速に挟持部の開きを調整するプライヤの構造。
【請求項３】
前記第二挟持体に複数の固定歯を設け、形状と数量の対応する定置部品と噛合することで、挟持部の開きの大きさを固定することを特徴とする請求項1記載の迅速に挟持部の開きを調整するプライヤの構造。
【請求項４】
前記第一弾性部品はバネであり、該第二弾性部品はスプリングであることを特徴とする請求項1記載の迅速に挟持部の開きを調整するプライヤの構造。
【請求項５】
前記第一挟持体に溝を設け、該溝に可動棒を設置することを特徴とする請求項1記載の迅速に挟持部の開きを調整するプライヤの構造。
【請求項６】
前記第二挟持部及び第二挟持体にそれぞれ穴を設け、支軸を該二つの穴に通すことで、第二挟持部と第二挟持体が結合して可動できる形状を作ることを特徴とする請求項1記載の迅速に挟持部の開きを調整するプライヤの構造。
【考案の詳細な説明】
【技術分野】
【０００１】
本考案は迅速に挟持部の開きを調整するプライヤの構造に関し、特に歯列噛み合せおよび弾性部品を使って元の位置に戻る、素早く挟持部の開きを調整するプライヤの構造に関する。
【背景技術】
【０００２】
ハンドツールの種類は様々である。ペンチやスパナなどの道具は、異なる作業環境と施工する標的に基づいて作られている。該共通点は挟持部で異なる形状やサイズの部品を噛合して緩める或いは閉める。
【０００３】
ハンドツールの発展史の中で、最も早期の生産方法は、閉める対象物体の大きさに対応して設計製造していた。即ち、ワンサイズの道具に対応する一つの挟持部の大きさの道具があった。しかし、サイズが細分化してくるにつれ、一対一の規格に対応して道具を作る方法では、製作するのが大変不経済である。ユーザーは様々なサイズを購入し、使用する際にも、一目ではサイズを区別しがたい道具を選ぶなど、伝統的な生産方法では、生産と使用する上で、経済効益に見合わなくなってきた。
【０００４】
以上を鑑みて、ハンドツール業界は次第に挟持部の開きの大きさを調整できるハンドツールを作り出し、可動式レンチ、可動式ペンチなど、多様な形状やサイズに対応できるようになり、製造コストの低減及び使用面でも顕著な効益が見られ、主流商品となった。中華民国の公知実用新案第M316138号の「万能ペンチ改良構造」では、第一ペンチ体、第二ペンチ体、バネ、調整棒、連動棒及び把持部で構成し、調整棒を移動することで挟持部の開きの大きさを調整できる。把持部に力を入れると、部品をしっかりと固定することができる。部品のサイズが変わる場合、まず把持部のロックを外してから調整棒で適切な位置にまで調整する。
【０００５】
現在可動式ハンドツールの挟持部の開きの大きさ調整は、全て調整棒の調整に頼っているため、異なるサイズの部品を閉める場合、多度にわたって調整しなければならない。仮に固定部品を一定の順序に従って、異なるサイズのものを順に閉めていく場合、大変な時間のロスであると同時に、反復して調整棒で挟持部の開きの大きさを調整する、或いは絶えず把持部を握って固定部品をつまむなど、手に負担がかかり、疲労により怪我にもつながってしまう可能性があるため、改善する必要があった。
【特許文献１】中華民国実用新案第M316138号
【考案の開示】
【考案が解決しようとする課題】
【０００６】
前記従来構造の欠点を解決するため、本考案は素早く調整することができ、疲れにくく、作業の進度に影響しないプライヤの改良構造を提供することを主な課題とする。
【課題を解決するための手段】
【０００７】
前記課題を解決するために、本考案の本体は第一挟持部、第二挟持部、第一挟持体及び第二挟持体を含み、第一挟持部は第一挟持体の一端に設け、該第二挟持部に穴を設け、該穴は第二挟持体にある穴に対応し、それに支軸を通すことで、第二挟持部は第二挟持体の一端にて可動することができる。
【０００８】
該第一挟持体の縦方向に溝を設け、該第二挟持体は複数の固定歯を形成し、該複数の固定歯は、対応する形状と数量を具有する定置歯の定置部品と噛合し、該定置部品の別端は第一挟持部と抵触する。
【０００９】
第一、第二挟持体の間に調整セットを設け、該調整セットは第一、第二挟持体の開合により動く。
【００１０】
該調整セットは調整棒及び可動棒を含み、該調整棒は第二挟持体に設置し、該可動棒は第一挟持体の溝及び第二挟持体の中に設置する。該調整棒と可動棒はそれぞれ歯列を設け、該歯列は片方向歯と対応して噛合する。
【００１１】
該調整セットはほかに第一弾性部品と第二弾性部品を設け、該第一弾性部品とはバネであり、調整棒と第二挟持体の間に設置する。第二弾性部品はスプリングであり、可動棒と第二挟持体に設置する。該第一、第二弾性部品によって、調整棒と可動棒が元の位置に戻る。
【００１２】
本体が挟持部で某物体を挟む場合、第一、第二挟持部を該物体の両サイドに置いて挟持体を押すと、該可動棒の歯列は調整棒の歯列を伝って移動する。歯列は片方向歯であるため、挟持部が物体を挟んだ後でも、挟持体を離すことで外れることがない。また、該定置部品は第一挟持部に抵触するため、物体を挟む力が強化する。
【００１３】
異なるサイズの物体を挟む際、挟持体を押し続けることで、該可動棒は歯列を伝って移動し、挟持部の開きを小さくする。或いは調整棒を押して、調整棒と可動棒の歯列の噛合状態を解除し、該調整棒と可動棒は、第一、第二弾性部品によって挟持部の開きは作業する前の大きさに戻るため、次の作業に向けて挟持部の開きの大きさを調整することができる迅速に挟持部の開きを調整するプライヤである。
【考案の効果】
【００１４】
本考案は調整セットの設置により、素早く挟持部の開きを調整できることで、時間のロスを無くし、簡単に使用できるようになるだけでなく、反復する調整作業による手の疲れで生じうる怪我する可能性を下げるなど、実用性を兼ね備えている。
【考案を実施するための最良の形態】
【００１５】
本考案は迅速に挟持部の開きを調整するプライヤに関し、本実施例ではウォーターポンププライヤを例に説明を進める(それに限られない)。図１、図２及び図６に示すように、本体1は第一挟持部10、第二挟持部20、第一挟持体30及び第二挟持体40を含み、第一挟持部10は第一挟持体30の一端に設け、該第二挟持部20に穴21を設け、該穴21は第二挟持体40にある穴41に対応し、支軸42を通すことで、第二挟持部20は第二挟持体40の一端にて可動することができる。また、該第一挟持体30の縦方向に溝31を設け、該第二挟持体40は穴41の上方に複数の固定歯43を形成し、該複数の固定歯43は、対応する形状と数量を具有する定置歯51の定置部品50と噛合し、該定置部品50の別端は第一挟持部10と抵触する。
【００１６】
第一、第二挟持体30、40の間に調整セット60を設け、該調整セット60は第一、第二挟持体30、40の開合により動く。
【００１７】
該調整セット60は調整棒61及び可動棒62を含み、該調整棒61の一部は第二挟持体40の中に設置し、一部は第二挟持体40の外に露出している。該可動棒62の両端はそれぞれ第一挟持体30の溝31及び第二挟持体40の中に設置する。該調整棒61と可動棒62はそれぞれ歯列611、621を設け、該歯列611、621は片方向歯で対応して噛合することで、可動棒62の歯列621は片方向に調整棒61の歯列611を上って移動する。該調整セット60はほかに第一弾性部品63と第二弾性部品64を設け、該第一弾性部品63とはバネであり、調整棒61と第二挟持体40の間に設置する。第二弾性部品64はスプリングであり、可動棒62と第二挟持体40に設置する。該第一、第二弾性部品63、64で、調整棒61と可動棒62が元の位置に戻る。
【００１８】
図３及び図６に示すのは、本体1が挟持部で某物体70を挟む場合、第一、第二挟持部10、20を該物体70の両サイドに置いて挟持体を押す。図７に示すように、該可動棒62の一端は溝31で下に移動し、別端は跳ね上がって調整棒61の歯列611を上る。歯列611、621は片方向歯であるため、挟持部が物体70を挟んだ後でも、挟持体を離すことで外れることがない。また、該定置部品50は第一挟持部10に抵触するため、物体70を挟む力が強化する。図４及び図７に示すように、サイズが比較的小さい物体80を挟む際、挟持体を押し続けることで、該可動棒62は溝31に沿って下方向に移動し、歯列611を伝って移動することで、挟持部の開きを該物体80のサイズにまで縮小する。図５及び図８に示すように、サイズが比較的大きい物体を挟む際、或いは作業完了後、調整棒61の露出端を押すだけで、調整棒61の別端が跳ね上がり、調整棒61と可動棒62の歯列611、621の噛合状態を解除するため、該可動棒62は第二弾性部品64の引っ張る力によって元の位置に戻る。この時、調整棒61にかかる力を緩めると、調整棒61もまた第一弾性部品63の牽引を受け、挟持部の開きは作業する前の大きさに戻るため、次の作業に向け、新たに挟持部に力を入れて、挟持部の開きの大きさを調整することができる。
【００１９】
固定する部品のサイズが多く、各サイズが互いに明らかな違いがある、或いは必ず一定の順序に基づき作業する場合でも、本考案では調整セット60のデザインにより、本体1は挟持体に施す力だけで素早く挟持部の開きの大きさを調整することができる。従来構造と比べ、挟持部の開きの大きさを調整する時間を短くするだけでなく、使用が簡単であり、反復した調整を必要とせず、作業がスムーズに進行し、怪我するのを避けることができる。
【００２０】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００２１】
【図１】本考案の迅速開口調整するプライヤの立体分解図である。
【図２】本考案を組立てた後の平面構造状態略図である。
【図３】本考案で比較的大きな物体に使用する状態の略図である。
【図４】本考案で比較的小さな物体に使用する状態の略図である。
【図５】本考案の調整棒を押した状態の略図である。
【図６】本考案の可動棒と調整棒が未噛合の状態の略図である。
【図７】本考案の挟持体を押すことで、可動棒が調整棒を伝う状態の略図である。
【図８】図５の調整棒を押した後、可動棒が噛合状態を解除し、元の位置に戻る状態の略図である。
【符号の説明】
【００２２】
1 本体
10 第一挟持部
20 第二挟持部
21 穴
30  第一挟持体
31 溝
40 第二挟持体
41 穴
42 支軸
43 固定歯
50 定置部品
51 定置歯
60 調整セット
61 調整棒
611 歯列
62 可動棒
621 歯列
63 第一弾性部品
64 第二弾性部品
70 物体
80  物体
【図１】
0003145228.tif 000003
【図２】
0003145228.tif 000004
【図３】
0003145228.tif 000005
【図４】
0003145228.tif 000006
【図５】
0003145228.tif 000007
【図６】
0003145228.tif 000008
【図７】
0003145228.tif 000009
【図８】
0003145228.tif 000010